(57)【要約】      （修正有）【課題】電動排水トラップを備えたタンクレス便器装置において、停電時用の手動式給水弁を簡単に操作できる装置を提供する。【解決手段】水道から直接給水する手動式給水弁２１を備えており、手動式給水弁２１を開弁するための弁操作部２２が便器装置１の外面に設けられている。したがって停電時においては、この弁操作部２２を操作して手動式給水弁２１が開弁されると、電源電池２によって電動排水トラップ１４が自動的に作動する。操作解除されると自動的に閉弁する【選択図】図１
2016118019.tif 000002
【特許請求の範囲】
【請求項１】
電気給水弁を介して水道から直接給水するタンクレス便器装置において、
手動操作によって開弁され水道から直接給水する手動式給水弁を備えており、
前記手動式給水弁を開弁するための弁操作部が便器装置の外面に設けられていることを特徴とするタンクレス便器装置。
【請求項２】
請求項１に記載のタンクレス便器装置において、
前記手動式給水弁は操作解除されると自動的に閉弁することを特徴とするタンクレス便器装置。
【請求項３】
請求項１又は２に記載のタンクレス便器装置において、
前記手動式給水弁は前記電気給水弁に併設されていることを特徴とするタンクレス便器装置。
【請求項４】
請求項１又は２に記載のタンクレス便器装置において、
前記手動式給水弁は前記電気給水弁を強制的に作動させる手動操作機構を付加して構成されていることを特徴とするタンクレス便器装置。
【請求項５】
請求項１乃至４のいずれか一項に記載のタンクレス便器装置において、
前記弁操作部は押し釦を備えることを特徴とするタンクレス便器装置。
【請求項６】
請求項1乃至４のいずれか一項に記載のタンクレス便器装置において、
前記弁操作部はハンドルを備えることを特徴とするタンクレス便器装置。
【請求項７】
請求項１乃至６のいずれか一項に記載のタンクレス便器装置において、
外部電源によって作動する電動排水トラップと、停電時用の電源電池を収容する電池収容部とを更に備え、
前記手動式給水弁が開弁されたときは前記電源電池によって電動排水トラップを作動させることを特徴とするタンクレス便器装置。
【発明の詳細な説明】
【技術分野】
【０００１】
本発明は電気式給水弁を介して水道から直接給水するタンクレス便器装置の改良に関する。
【背景技術】
【０００２】
近時、前記のようなタンクレス便器装置が普及しつつある。しかしながら停電時には電気式給水弁が作動できないため便器の使用後にバケツ等を用いた手作業で給水して汚水を流す必要があった。特に固定式トラップ管を用いた便器装置の場合はサイホン効果のためにボウル部に溜め水が溜まり難いという事情があり、そのために複雑な給水構造が必要とされていた。
【０００３】
またタンクレス便器装置には開放端を有する柔軟なトラップ管を電動で上下に首振りさせることで排水制御するものもある。次の特許文献１にはそのような便器装置において停電時には予備電池によってトラップ管を駆動すること、及び手動で開閉弁させるバイパス給水弁を設けることが記載されている。この場合はサイホン効果は生じないから、停電時には予備電池によってトラップ管を作動させてトラップ管が元に戻った後バイパス給水弁から十分な量を給水すればボウル部に溜め水を溜めることができる。
【先行技術文献】
【特許文献】
【０００４】
【特許文献１】特開平１１−２１００５２号公報
【発明の概要】
【発明が解決しようとする課題】
【０００５】
しかしながら特許文献１はバイパス給水弁の構成やこの弁を操作する操作部について詳細に記載されていない。仮にレバーやダイヤルが付加された手動式弁を便器装置の給水路に介装したとすると、そのレバーあるいはダイヤルを操作するために便器装置の筐体の一部等を外す必要がある等の問題が生じることが考えられる。本発明はこのような考察の下になされたもので、停電時に手動式給水弁を簡単に操作できるタンクレス便器装置を提供することを目的としている。
【課題を解決するための手段】
【０００６】
本発明は、電気給水弁を介して水道から直接給水するタンクレス便器装置において、手動操作によって開弁され水道から直接給水する手動式給水弁を備えており、前記手動式給水弁を開弁するための弁操作部が便器装置の外面に設けられていることを特徴とする。
【発明の効果】
【０００７】
本発明では弁操作部が便器装置の外面に設けられているので、便器装置の一部筐体を外したり等の手間を掛けずに弁操作部が簡単に操作できる。
【図面の簡単な説明】
【０００８】
【図１】本発明の実施形態の一例とされるタンクレス便器装置の基本構成を示すブロック図である。
【図２】（ａ）、（ｂ）は前記便器装置の具体的な構成を説明する平面図及び縦断面図である。
【図３】（ａ）、（ｂ）は前記便器装置に設けられる手動式給水弁の一例の閉弁状態、開弁状態を示す流路に沿った断面図である。
【図４】（ａ）、（ｂ）は前記便器装置に設けられる手動式給水弁の変形例の閉弁状態、開弁状態を示す断面図である。
【図５】（ａ）、（ｂ）は前記便器装置に設けられる手動式給水弁の他の変形例の閉弁状態、開弁状態を示す断面図である。
【図６】本実施形態の通常時（非停電時）における基本動作の一例を示すタイムチャートである。
【図７】本実施形態の停電時における基本動作の一例を示すタイムチャートである。
【発明を実施するための形態】
【０００９】
図１は本発明の実施形態の一例とされるタンクレス便器装置の基本構成を示すブロック図である。便器装置は外部電源によって作動し電気式給水弁を介して水道から直接給水する洋式タンクレスのものである。ここに外部電源は商用電源、商用電源を整流した電源又は自家発電装置で発電した電源等の総称である。便器装置はブロック図以外の要素として例えば局部洗浄機構、便座保温機構等も備えてよいが、本発明には特に関連しないのでそれらについての説明は省略する。
【００１０】
便器装置１は大小便を受けるボウル部１０の上流側、下流側にはそれぞれ給水路１１と排水路１２とが形成されている。給水路１１は止水栓２とボウル部１０とを繋ぐ管路であって金属パイプや樹脂パイプからなり、その経路中に電気式給水弁１３等が設けられている。排水路１２はボウル部１０と下水管４とを繋ぐ管路であって樹脂パイプ等からなり、その経路中に電動排水トラップ１４が設けられている。
【００１１】
整流回路１５は例えばダイオードブリッジ等で構成され商用電源等を整流して便器装置１の各部に作動電源を供給する。整流回路１５の出力はダイオードＤ１を介して給電路１６に接続されている。給電路１６には平滑用コンデンサーＣや降圧回路１７が接続されている。降圧回路１７はＤＣ／ＤＣコンバータ―等からなり制御部１８等に作動電源よりも低い電圧レベルの電源を供給する。
【００１２】
制御部１８はマイコン等からなり、降圧回路１７で降圧された電源によって動作し、予め用意された制御プログラムに従って電気式給水弁１３や電動排水トラップ１４を制御する。電圧センサ１９は整流回路１５の出力電圧を監視するセンサである。
【００１３】
電気式給水弁１３はソレノイドによって弁体を駆動する電磁式のものでも、モーターによって弁体を駆動する電気式のものでもよい。本実施形態では一例として電磁式のものを採用している。電磁弁には常時閉タイプと常時開タイプとがあるが便器装置１は待機中に給水することはないので常時閉タイプのものを用いる。電気式給水弁１３は給電路１６から供給された電源によって作動する。トランジスタ素子Ｑ１は電気式給水弁１３の制御用素子を概念的に示している。
【００１４】
電動排水トラップ１４は開放端を有する柔軟なトラップ管をトラップモーターＭで上下に首振りさせる仕組みのものである。トラップモーターＭは電動排水トラップ１４の駆動源であって一般的なブラシモーター、ブラシレスモーター、ステッピングモーター等で構成される。正逆駆動回路１９はトラップモーターＭに駆動電流を通じさせる回路ブロックであってアンプ回路等からなり、給電路１６から供給された電源によってトラップモーターＭを正逆自在に回動させる。
【００１５】
便器装置１は更に手動操作によって開弁され水道から直接給水する手動式給水弁２１を備えており、手動式給水弁２１を開弁するための弁操作部２２が便器装置１の外面に設けられている。手動式給水弁２１は手動操作によって閉弁できればその種別、配置場所、配管方法等は特に制限されない。
【００１６】
弁操作部２２は例えば押し釦又はハンドルを備えたものにするとよい。そのような弁操作部２２を便器装置１の外面に設ければ、便器装置１の上部筐体を外したり等の手間を掛けずに弁操作部２２が簡単に操作できる。又弁操作部２２には復帰用のバネ等を付加しておき、操作解除されたときには自動的に復帰するようにするとよい。そのようにすれば操作が簡単なので使用者が戸惑うこともなく、また水が流れっぱなしのまま放置されることもない。
【００１７】
便器装置１は更に停電時用の電源電池２を収容する電池収容部２０と、手動式給水弁２１の開弁を検知する検知回路２３とを備えている。
【００１８】
電源電池２は停電時に電動排水トラップを作動させるための電源を供給する。電源電池２は専用品としてもよいが、市販の乾電池（９Ｖ品、１．５Ｖ品等）を用いてもよい。電源電池２の供給電圧は９〜１２Ｖ程度にするとよい。電池収容部２０はその配置や構成に特段の制限はないが、水濡れし難い位置に電池収容部２０を配することが望ましい。
【００１９】
検知回路２３は電動排水トラップを作動させるトリガーとして手動式給水弁２１の開弁を検知する。検知回路は手動式給水弁２１の開弁をどのような手段で検知してもよい。例えばスイッチ等で機械的に弁操作部２２の動きを検知してもよいし、光学あるいは磁気センサによって弁操作部２２の動きを非接触に検知してもよい。本実施形態では一例として弁操作部２２の操作に連動してオンオフするスイッチＳＷを用いている。具体的には押し釦によってスイッチＳＷをオンオフさせてトランジスタ素子Ｑ２を制御し、これによって電源電池２の通電及び遮断を制御する回路構成としている。トランジスタ素子Ｑ２の出力端子はダイオードを介して給電路１６に接続されている。よって電源電池２はスイッチＳＷがオンの間はトランジスタ素子Ｑ２を介して給電路１６に電源が供給されるようになり、停電中であっても制御部が電動排水トラップを制御することが可能となる。
【００２０】
制御部１８はパワーオンリセットによる起動時に電圧センサ１９の検知信号によって通常時（非停電時）か停電時かを判断し、その判断結果に基づいて通常時用の制御プログラム、停電時用の制御プログラムのいずれか一方を実行するとよい。そうした場合、通常時用の制御プログラムでは便器装置１の主操作部（図示なし）からの指令信号に基づいて便座保温、局部洗浄、排水等の各処理が実行される。一方停電時用の制御プログラムでは自動的に排水処理が実行される。すなわち本実施形態では手動式給水弁２１が開弁にされたときに電源電池２によって電動排水トラップ１４が自動的に作動する。
【００２１】
このように本実施形態では弁操作部２２を操作するだけで電動排水トラップ１４と手動式給水弁２１とが連携して作動し排水処理がなされる。その後使用者はボウル部１０に溜め水が十分に溜まったことを確認して弁操作部２２の操作を解除すればよく、バケツ等を用いた手作業で給水するというような手間が不要になる。また電動排水トラップ１４が作動する前に過剰な給水をしてしまう等の水道水の浪費も抑えられる。
【００２２】
図２（ａ）、（ｂ）は前記便器装置の具体的な構成を説明する平面図及び縦断面図である。図１に共通する要素には同一の参照符号を付けて説明を省略する。なお平面図では電気式給水弁１３と手動式給水弁２１とを想像線（点線）で記載している。
【００２３】
便器装置１はボウル部１０を収容する本体外殻部３０と、便座３１と、便蓋３２と、給水路１１の主要部を収容する上部筐体３３とを備えている。便座３１及び便蓋３２は上部筐体３３の前方にヒンジ固定されている。なお本体外殻部３０、便座３１、便蓋３２、上部筐体３３は樹脂等で形成するとよい。
【００２４】
ボウル部１０は化学安定性に優れる樹脂、陶磁器あるいはホウロウ等からなり本体外殻部３０の上面に開口部１０ａが配され底面後部に排水口１０ｂが形成されている。
【００２５】
電気式給水弁１３と手動式給水弁２１は近接して配置されている。これらの弁の上流側合流点は金属管等を介して止水栓に接続されている。また下流側合流点よりも下流側に流量センサ２４が設けられ、その更に下流側に剤ポンプ及び剤タンク２５が設けられている。給水路１１はボウルリム内に形成された水路１０ｃに連通されており、その水路１０ｃに１乃至複数の出水口（図示なし）が形成されている。
【００２６】
手動式給水弁２１を開弁させるための弁操作部２２は押し釦とされ、上部筐体３３の側面に突出させて構成されている。ただし弁操作部２２の場所は上部筐体３３の側面に限定されず、上部筐体の上面でもよいし、本体外殻部３０の側面あるいは前面でもよい。要するに弁操作部２２は便器装置１の外面の適所に設ければよい。そうすれば上部筐体３３を外したり等の手間を掛けずに弁操作部２２が簡単に操作できる。
【００２７】
電動排水トラップ１４はボウル部１０の排水口１０ｂの後方に設けられている。トラップ管１４ａは汚水の飛散を防止するために気密室１４ｂに収容されている。気密室１４ｂの下端部開口は下水管に接続されている。トラップ管１４ａの開放端にはアーム１４ｃが連結されており、アーム１４ｃの駆動軸は気密室１４ｂから導出されギヤ等を介してトラップモーターＭの出力軸に連結されている。
【００２８】
電池収容部２０は上部筐体３３の後方上面に矩形凹部として形成され、その凹部を覆う蓋２０ａが開閉自在にヒンジ止めされている。電源電池２は市販の９Ｖ品とされ、その電池を接続するための端子板２０ｂがリード線によって引き出し可能に設けられている。このような場所に電池収容部２０を形成すれば電池の装着が簡単に行え、又蓋２０ａを設けているので異物や水滴が内部に侵入し難くなる。なお電池収容部２０は上部筐体３３の内側に設けてもよい。
【００２９】
以下、前記便器装置１に設けられる手動式給水弁の一例を図に従って具体的に説明する。
図３（ａ）、（ｂ）はその一例である同一の手動式給水弁の閉弁状態、開弁状態をそれぞれ示している。
【００３０】
電気式給水弁１３は常時閉タイプの電磁弁であり、ポペット式弁体１３ａがソレノイドＳによって駆動されるようになっている。弁体１３ａはコイルバネ１３ｂによって弁座１３ｃ方向（図では右方向）に付勢されており、かつ弁体１３ａが弁座１３ｃに当接した状態では水道圧も弁体１３ａを弁座１３ｃに更に押し付けるように作用するので常時閉タイプの性質が得られる。このような構成の電磁弁はゴミの噛み込み等による動作不良が生じ難く信頼性が高いが、水圧に抗して開弁させるために大型のソレノイドＳと大きな制御電流を要する。
【００３１】
ソレノイドＳは駆動コイルと、駆動コイルに挿通された可動鉄心、駆動コイルに挿通固定された固定鉄心とからなる。可動鉄心は電気式給水弁１３が閉弁しているときは固定鉄心から引き離された状態となるように弁体１３ａに連結されている。電気式給水弁１３が閉弁しているときにソレノイドＳに通電すると可動鉄心と固定鉄心とが同方向に磁化されるため可動鉄心を駆動コイルの奥方へ引き込む力が生じる。この力によって弁体１３ａが弁座１３ｃから引き離されて電気式給水弁１３が開弁される。
【００３２】
一方手動式給水弁２１も常時閉タイプであり、ガイド筒２１ｃの中でスプール式弁体２１ａを手動操作によって軸方向にスライドさせるようになっている。弁体２１ａは水道水を流通させる流通孔２１ｄが軸と交差する方向に形成されており、流路２１ｅに対する流通孔２１ｄの整合、不整合によって開弁、閉弁を制御する。つまり図３（ａ）の状態では流通孔２１ｄが流路２１ｅに整合しない位置にあるため水道水の流通は禁止されるが、図３（ｂ）の状態では流通孔２１ｄが流路２１ｅに整合する位置にあるため水道水の流体は許可される。弁体２１ａには流通孔２１ｄに代えて小径部を形成してもよい。弁体２１ａはコイルバネ２１ｂによって閉弁する方向（図では右方向）に付勢されており、その作用によって常時閉タイプの性質が得られる。また弁体２１ａは連結棒２２ａを介して弁操作部２２に連結されており、押し釦が押圧されると連動して開弁方向にスライドする。
【００３３】
弁操作部２２は押し釦を上部筐体３３の側面に突出配置させて構成される。このような弁操作部２２とすれば開弁操作が簡単に行える。押し釦の後方すなわち上部筐体３３の裏側には手動式給水弁２１の開弁を検知する検知回路２３の基板が配置されている。検知回路２３は押し釦が押圧されて手動式給水弁２１の開弁位置まで後退したときに押し釦の後端部によって押圧されるスイッチＳＷが設けられており、スイッチＳＷによって手動式給水弁２１の開弁を検知する。
【００３４】
電気式給水弁１３と手動式給水弁２１は、上流側に分岐管１２ａを用い、下流側に合流管１２ｂを用いて併設されている。このようにすれば電気式給水弁１３と手動式給水弁２１とをコンパクトにまとめることができる。分岐管１２ａの分岐点よりも上流側には異物を捕集するストレーナー２６が配置されている。合流管１２ｂには電気式給水弁１３又は手動式給水弁２１の閉弁動作時に生じる負圧を破壊する真空破壊弁（図示なし）を配置してそれ以降の給水路１２の逆流を防止するとよい。
【００３５】
更に前記便器装置１に設けられる手動式給水弁２１の変形例を図に従って説明する。
図４（ａ）、（ｂ）はその変形例である同一の手動式給水弁２１の閉弁状態、開弁状態をそれぞれ示している。図３（ａ）、（ｂ）に共通する要素には同一の参照符号を付けて説明を省略する。
【００３６】
この変形例では、手動式給水弁２１はガイド筒２１ｃの中のボール式弁体２１ｆを手動操作によって回転させるようになっている。弁体２１ｆは水道水を流通させる流通孔２１ｄを有するボール部２１ｇが形成されており、流路２１ｅに対する流通孔２１ｄの整合、不整合によって開弁、閉弁を制御する。つまり図４（ａ）の状態では流通孔２１ｄが流路２１ｅに整合しない位置にあるため水道水の流通は禁止されるが、図４（ｂ）の状態では流通孔２１ｄが流路２１ｅに整合する位置にあるため水道水の流体は許可される。弁体２１ｆは連結棒２２ａを介して弁操作部２２に連結されており、ハンドルが回動操作されると連動して回動する。連結棒２２ａには手動式給水弁２１の閉弁方向に戻しトルクを生じさせるバネ機構２２ｂが設けられており、その作用によって常時閉タイプの性質が得られる。
【００３７】
弁操作部２２はハンドルを上部筐体３３の側面に突出配置させて構成される。このような弁操作部２２とすれば開弁操作が簡単に行える。本体外殻部３０の裏側には、手動式給水弁２１の開弁を検知する検知回路２３の基板が配置されている。検知回路２３はハンドルが回動操作されて手動式給水弁２１の開弁位置まで回動したときに連結棒２２ａから突出する突片２２ｃによって押圧されるスイッチＳＷが設けられており、スイッチＳＷによって手動式給水弁２１の開弁を検知する。
【００３８】
更に前記便器装置に設けられる手動式給水弁の他の変形例を図に従って説明する。
図５（ａ）、（ｂ）はその変形例である同一の手動式給水弁の閉弁状態、開弁状態をそれぞれ示している。図３（ａ）、（ｂ）に共通する要素には同一の参照符号を付けて説明を省略する。
【００３９】
この変形例では、手動式給水弁２１は電気式給水弁１３にその電気式給水弁１３を強制的に開弁させる手動操作機構２７を付加して構成されている。すなわち単一のスプール式弁体２８ａを備えた本体弁２８に電気式給水弁１３を構成するためのソレノイドＳと、手動式給水弁２１を構成するための手動操作機構２７とが付加されている。ここに手動操作機構２７は連結棒２２ａと押し釦とからなる。このような構成とすれば少ない部品点数で手動式給水弁２１と電気式給水弁１３とを構成できる。本体弁２８は給水路１２を構成する配管１２ｃ、１２ｃの間に介装されている。
【００４０】
本体弁２８の構成は、図３（ａ）、（ｂ）に示した手動式給水弁２１に類似している。すなわちガイド筒２８ｃの中でスプール式弁体２８ａをソレノイドＳ又は手動操作機構２７によって軸方向にスライドさせるようになっている。弁体２８ａには軸と交差する方向に流通孔２８ｄが形成されている。また弁体２８ａはコイルバネ２８ｂによって閉弁する方向（図では右方向）に付勢されており、その作用によって常時閉タイプの性質が得られる。図５（ａ）は共通弁２８ａが閉弁された状態、すなわち流通孔２８ｄが流路２８ｅに整合しない位置にあるため水道水の流体が禁止された状態を示している。
【００４１】
弁体２８ａの開弁方向の端部（図では左端部）はソレノイドＳの可動鉄心に連結されている。したがって弁本体２８が閉弁しているときにソレノイドＳを通電すると可動鉄心とともに弁体２８ａが開弁方向にスライドして弁本体２８を開弁させる。つまり図５（ｂ）に示すように流通孔２８ｄが流路２８ｅに整合する位置となって水道水の流体が許可される。また弁体２８ａの閉弁方向の端部（図では右端部）は連結棒２２ａを介して押し釦に連結されている。したがって押し釦が押圧されると弁体２８ａは開弁方向にスライドして弁本体２８を開弁させる。
【００４２】
手動式給水弁２１の開弁を検知する検知回路２３の構成は、図３（ａ）、（ｂ）に示したものと同様である。
【００４３】
次いで本実施形態の通常時及び停電時における基本動作を図に従って説明する。
図６は本実施形態の通常時における基本動作の一例を示すタイムチャートである。局部洗浄や便座保温に関する動作の説明は省略する。
【００４４】
タイムチャートでは時刻Ｔ１に商用電源が通電され、制御部はパワーオンリセットによって起動されている。時刻Ｔ２に制御部は通常時か否かを判定する処理を行っている。ここは通常時であるから時刻Ｔ３以降、制御部は通常時用の制御プログラムに従って各処理を行う。
【００４５】
時刻Ｔ３に制御部は排水指令を監視する処理を開始している。具体的には便器装置の主操作部からの指令信号を監視する。時刻Ｔ４に主操作部から排水指令が発せられている。
【００４６】
時刻Ｔ５に制御部はその排水指令に基づいて排水処理を開始している。ここでの排水処理では主に電気式給水弁と電動排水トラップとの制御手順が規定されている。時刻Ｔ５に電気式給水弁が開弁され給水が開始されている。時刻Ｔ６ではトラップモーターが上方向に回動制御され、これによってトラップ管の開放端が上位置よりも更に高い位置まで首振り移動する。これによりボウル部に溜め水が追加されて汚水を一気に排水することが可能になる。時刻Ｔ７にトラップモーターが下方向に回動制御され、これによってトラップ管の開放端が下位置（排水位置）まで首振り移動する。その結果ボウル部の汚水が全て排水される。時刻Ｔ８にトラップモーターが上方向に回動制御され、これによってトラップ管の開放端が上位置まで首振り移動する。その結果ボウル部に溜め水が再び溜められる。時刻Ｔ９に電気式給水弁が閉弁され給水が停止されている。これにより排水処理が終了する。
【００４７】
時刻Ｔ１０に制御部は再び排水指令を監視する処理を開始している。
【００４８】
本実施形態の通常時における基本動作は前記のような手順でなされる。その特徴としては、商用電源によって常時給電されており、制御部は処理を実行していない間は操作部からの指令を監視している点が挙げられる。
【００４９】
図７は本実施形態の停電時における基本動作の一例を示すタイムチャートである。なお本実施形態では停電時でも電動排水トラップを電源電池によって作動させることが可能であるが、そのためには弁操作部を操作する前に電源電池を便器装置に装着する必要がある。この電源電池の装着はタイムチャートには図示していない。
【００５０】
タイムチャートでは時刻Ｔ２１に弁操作部が操作されて手動式給水弁が開弁し、給水が開始されている。また手動式給水弁の開弁を検知して電源電池が通電され、制御部はパワーオンリセットによって起動されている。時刻Ｔ２２に制御部は通常時か否かを判定する処理を行っている。ここは停電時であるから時刻Ｔ２３以降、制御部は停電時用の制御プログラムに従って各処理を行う。
【００５１】
時刻Ｔ２３に制御部は自動的に排水処理を開始している。ここでの排水処理では電動排水トラップの制御手順が規定されている。時刻Ｔ２４にトラップモーターが下方向に回動制御され、これによってトラップ管の開放端が下位置（排水位置）まで首振り移動する。その結果ボウル部の汚水が全て排水される。時刻Ｔ２５にトラップモーターが上方向に回動制御され、これによってトラップ管の開放端が上位置まで首振り移動する。その結果ボウル部に溜め水が再び溜められる。時刻Ｔ２６に排水処理が終了して制御部は停止状態になる。停止状態は特に処理を行わずに消費電力を抑えるモードである。
【００５２】
その後使用者がボウル部に溜め水が十分溜まったことを確認し、時刻Ｔ２７に弁操作部が操作解除している。これによって電源電池が遮断されている。
【００５３】
本実施形態の停電時における基本動作は前記のような手順でなされる。その特徴としては、手動式給水弁の弁操作部が操作されている間だけ電源電池から給電され、制御部はパワーオンリセットによって起動されると自動的に電動排水トラップを作動させる点が挙げられる。つまり電源電池の通電は最小限とされており、電源電池の消耗が抑えられる。
【符号の説明】
【００５４】
１      便器装置
２      電源電池
１３    電気式給水弁
１４    電動排水トラップ
２０    電池収容部
２１    手動式給水弁
２２    弁操作部
２７    手動操作機構
【図１】
2016118019.tif 000003
【図２】
2016118019.tif 000004
【図３】
2016118019.tif 000005
【図４】
2016118019.tif 000006
【図５】
2016118019.tif 000007
【図６】
2016118019.tif 000008
【図７】
2016118019.tif 000009